(57)【要約】【課題】ウエブ状の媒体に係る多くの情報を搭載した消耗品を提供する。【解決手段】ウエブ状の媒体１に関する情報を記憶しているデータ読み書き可能な無線タグ５０を、当該媒体１の巻き始め部分に備える。これにより、無線タグ５０には多くの情報を記憶させることができることから、銘板や捺印によって媒体１に関する情報を表示する場合に比べ、媒体１に係る多くの情報を消耗品である感熱紙ロールに保持させることができる。また、コアレスの消耗品であっても、ウエブ状の媒体１に係る多くの情報を消耗品に保持させることができる。【選択図】        図２
2004309860.tif 000002
【特許請求の範囲】
【請求項１】
ウエブ状の媒体をロール状に巻回して構成され、電子機器における処理制御に伴って使用される消耗品において、
前記媒体に関する情報を記憶しているデータ読み書き可能な無線タグを、当該媒体の端部に備えていることを特徴とする消耗品。
【請求項２】
前記媒体に関する情報を記憶しているデータ読み書き可能な無線タグを、当該媒体の巻き始め部分に備えていることを特徴とする請求項１記載の消耗品。
【請求項３】
前記媒体に関する情報を記憶しているデータ読み書き可能な無線タグを、当該媒体の巻き終わり部分に備えていることを特徴とする請求項１記載の消耗品。
【請求項４】
前記無線タグに記憶される前記媒体に関する情報には、少なくとも当該媒体の使用期限に関する情報を含むことを特徴とする請求項１ないし３の何れか一記載の消耗品。
【請求項５】
前記無線タグに記憶される前記媒体に関する情報には、少なくとも当該媒体の使用条件に関する情報を含むことを特徴とする請求項１ないし３の何れか一記載の消耗品。
【請求項６】
電子機器における処理制御に伴って使用されてウエブ状の媒体をロール状に巻回して構成される消耗品を製造する消耗品の製造装置において、
前記媒体の原反を引き出し自在に保持する原反保持部と、
前記媒体を長さ方向の一端部側からロール状に巻き上げる巻き取り部と、
前記原反保持部から前記巻き取り部まで前記媒体を案内する媒体案内経路と、前記媒体案内経路中に設けられ、前記巻き取り部によりロール状に巻き上げられた前記媒体が所定の径になったところで前記媒体案内経路を案内される前記媒体を切断する切断手段と、
前記媒体案内経路中であって前記巻き取り部の前段に設けられ、前記媒体案内経路を案内される前記媒体に対して当該媒体に関する情報を記憶しているデータ読み書き可能な無線タグを取り付ける無線タグ取り付け手段と、
を備え、
前記媒体を前記巻き取り部によりロール状に巻き上げる前に、前記無線タグ取り付け手段により前記媒体に対して前記無線タグを取り付けるようにした、
ことを特徴とする消耗品の製造装置。
【請求項７】
電子機器における処理制御に伴って使用されてウエブ状の媒体をロール状に巻回して構成される消耗品を製造する消耗品の製造装置において、
前記媒体の原反を引き出し自在に保持する原反保持部と、
前記媒体を長さ方向の一端部側からロール状に巻き上げる巻き取り部と、
前記原反保持部から前記巻き取り部まで前記媒体を案内する媒体案内経路と、前記媒体案内経路中に設けられ、前記巻き取り部によりロール状に巻き上げられた前記媒体が所定の径になったところで前記媒体案内経路を案内される前記媒体を切断する切断手段と、
前記媒体案内経路中であって前記切断手段の後段に設けられ、前記媒体案内経路を案内される前記媒体に対して当該媒体に関する情報を記憶しているデータ読み書き可能な無線タグを取り付ける無線タグ取り付け手段と、
を備え、
前記媒体を前記切断手段により切断する直前に、前記無線タグ取り付け手段により前記媒体に対して前記無線タグを取り付けるようにした、
ことを特徴とする消耗品の製造装置。
【発明の詳細な説明】
【０００１】
【発明の属する技術分野】
本発明は、ウエブ状の媒体をロール状に巻回して構成され、電子機器における処理制御に伴って使用される消耗品及び消耗品の製造装置に関する。
【０００２】
【従来の技術】
従来、ＰＯＳ（Ｐｏｉｎｔ  ｏｆ  Ｓａｌｅｓ：販売時点管理）端末等に接続して使用されるサーマルプリンタやラベルプリンタ等の電子機器における処理制御に伴って使用され、ウエブ状の媒体をロール状に巻回して構成される消耗品、例えば感熱紙ロールや転写リボンロール等においては、そのコア部分に銘板や捺印によってロット番号や製造番号等を表示している。
【０００３】
【発明が解決しようとする課題】
しかしながら、近年においては、ロット番号や製造番号のみならず、使用期限や使用条件（例えば、特性情報）等の多くの情報を搭載したいという要望がある。
【０００４】
また、近年においては、コア部分がないものも開発されており、そのようなコアレスの消耗品に対する対応も迫られている。
【０００５】
本発明は、ウエブ状の媒体に係る多くの情報を搭載した消耗品を提供することを目的とする。
【０００６】
本発明は、ウエブ状の媒体に係る多くの情報を搭載した消耗品を製造する消耗品の製造装置を提供することを目的とする。
【０００７】
【課題を解決するための手段】
本発明の消耗品（例えば、感熱紙ロールや転写リボンロール等）は、前記媒体に関する情報を記憶しているデータ読み書き可能な無線タグを、当該媒体の端部に備えている。
【０００８】
したがって、無線タグには多くの情報を記憶させることが可能であることから、銘板や捺印によって媒体に関する情報を表示する場合に比べ、媒体に係る多くの情報を消耗品に保持させることが可能になる。また、無線タグを媒体の端部に備えていることから、コアレスの消耗品（例えば、感熱紙ロールや転写リボンロール等）であっても、媒体に係る多くの情報を消耗品に保持させることが可能になる。
【０００９】
【発明の実施の形態】
本発明の実施の一形態を図１ないし図６に基づいて説明する。本実施の形態の消耗品は、ＰＯＳ（Ｐｏｉｎｔ  ｏｆ  Ｓａｌｅｓ：販売時点管理）端末等に接続される電子機器であるサーマルプリンタにおける処理制御に伴って使用され、ウエブ状の媒体である感熱紙をロール状に巻回して構成される感熱紙ロールに適用されている。
【００１０】
図１は、本実施の形態のロール紙製造装置１００のロール紙巻き取り機構を概略的に示す側面図、図２はその斜視図である。図１及び図２に示すように、ロール紙製造装置１００には、いわゆる原反であってウエブ状の媒体であるロール状の幅広の感熱紙１を回転自在に保持する原反保持部２から感熱紙１を長さ方向の先端からロール状に巻き上げる巻き取り部としてのロール紙巻き取り部３へ至る媒体案内経路である感熱紙搬送経路４が形成されている。
【００１１】
感熱紙搬送経路４には、幅広の感熱紙１を所定の幅で切断するスリッター５と、ロール紙巻き取り部３で所定の長さだけ巻き上げた感熱紙１を切断する切断手段であるカッタ機構６とが設けられている。スリッター５には、感熱紙１を所定の幅に切断するスリット刃５ａが感熱紙１の軸方向に沿って複数個設けられており、感熱紙１の軸方向に沿ってスライド自在である。本実施の形態のスリッター５は、各スリット刃５ａにより幅広の感熱紙１を４等分して、ロール紙を４本取りする。各スリット刃５ａの間隔を調整することによって、感熱紙１を所定の幅で切断することが可能になっている。カッタ機構６は、感熱紙搬送経路４を介して対峙する固定刃６ａと可動刃６ｂとにより構成されている。可動刃６ｂは、上下動自在に設けられており、可動刃６ｂを下方へ移動させることで感熱紙１を所定の位置で切断する。
【００１２】
また、感熱紙搬送経路４には、感熱紙１を搬送するためのローラ７ａと、カッタ機構６付近を通過する感熱紙１を張るためのローラ７ｂとが設けられている。
【００１３】
ロール紙巻き取り部３には、用紙搬送方向下流側に向けて、無線タグ取り付け手段１０、一方向に回転自在なロール紙巻き取り軸８が順に設けられている。
【００１４】
ロール紙巻き取り軸８は、スリッター５により所定の幅に切断された感熱紙１をロール状に巻き上げるためのものであり、原反保持部２から連続する感熱紙１の先端をロール紙巻き取り軸８にセットされた小巻コア１１に糊等で固定した状態でロール紙巻き取り軸８を回転することで、スリッター５により所定の幅に切断された感熱紙１をロール状に巻き上げることが可能になる。
【００１５】
原反保持部２には、ロール紙巻き取り部３でのロール紙巻き取り軸８の回転に応じて回転する原反保持軸９が設けられている。原反保持軸９は、ロール紙巻き取り軸８でのロール紙巻上げ量に応じて回転数が変動する。
【００１６】
本実施の形態においては、スリッター５により所定の幅に切断されて４等分された各感熱紙１を小巻コア１１に糊等で固定する際に、無線タグ取り付け手段１０により無線タグ５０（図２参照）をそれぞれ取り付ける。図３に、無線タグ取り付け手段１０により無線タグ５０が取り付けられた状態の感熱紙１を示す。この無線タグ５０は、一般に、無線通信を利用した識別技術の一種であるＲＦＩＤ（Ｒａｄｉｏ  Ｆｒｅｑｕｅｎｃｙ  ＩＤｅｎｔｉｆｉｃａｔｉｏｎ）といわれているものである。この無線タグ５０は、特に図示しないが、データ読み書き可能なシリコンチップと、データを無線で送信できるアンテナとを主体に構成されている。なお、無線タグ５０を用いた無線通信方式としては、静電結合方式、電磁結合方式、電磁誘導方式、マイクロ波方式等、いずれの方式であってもよい。図３に示すように、この無線タグ５０は、片面に接着剤が塗布されたラベル状の台紙５１に実装されている。すなわち、台紙５１の接着剤が塗布された側を無線タグ取り付け手段１０により感熱紙１に向けて吹き付けることにより、感熱紙１に無線タグ５０が取り付けられる。なお、感熱紙１を小巻コア１１に糊等で固定せずに、感熱紙１を無線タグ５０が実装された台紙５１で小巻コア１１に固定するようにしても良い。
【００１７】
以上のようにして、ロール紙巻き取り軸８にセットされた小巻コア１１に固定されるとともに無線タグ５０が取り付けられた感熱紙１は、ロール紙巻き取り軸８を回転することで、スリッター５により所定の幅に切断され、ロール状に巻き上げられる。
【００１８】
ここで、感熱紙１に取り付けられる無線タグ５０には、各種の情報が記憶されている。図４は、無線タグ５０に記憶される情報を例示的に示す説明図である。図４に示すように、無線タグ５０に記憶されている各種の情報としては、当該感熱紙１の品名，製造メーカ、原反製造ロット番号，製造年月日、小巻にされた製品の製造ロット番号，製造年月日、特性値、寸法情報、消費期限、海賊版防止用の暗証番号、使用される機器の適合機種名、使用される機器のセット条件情報等がある。なお、このような各種の情報は、感熱紙１に取り付ける前に、無線タグ５０に書き込まれる。大別すると、原反製造ロット番号，製造年月日、小巻にされた製品の製造ロット番号，製造年月日、消費期限等の情報は、感熱紙１の使用期限に関する情報であり、特性値、寸法情報、海賊版防止用の暗証番号、使用される機器の適合機種名、使用される機器のセット条件情報等の情報は、感熱紙１の使用条件に関する情報である。
【００１９】
感熱紙１に無線タグ５０を取り付けた後、ロール紙巻き取り軸８を回転することで、スリッター５により所定の幅に切断された感熱紙１がロール紙巻き取り軸８によりロール状に巻き上げられる。図５に、ロール紙巻き取り軸８によりロール状に巻き上げられた状態の感熱紙１を示す。
【００２０】
また、ロール紙巻き取り軸８によりロール状に巻き上げられた感熱紙１が所定の径になったところ（所定時間が経過した時点）で、カッタ機構６の可動刃６ｂを下方へ移動させることで感熱紙１を所定の位置で切断する。これにより、消耗品である感熱紙ロールが完成する。したがって、ここで完成した消耗品である感熱紙ロールは、ウエブ状の媒体である感熱紙１に関する情報を記憶しているデータ読み書き可能な無線タグ５０を、感熱紙１の巻き始め部分に備えていることになる。
【００２１】
特に図示しないが、無線タグ取り付け手段１０、ロール紙巻き取り軸８、スリッター５およびカッタ機構６等の駆動は、マイコンによって駆動制御されている。マイコンは、各部を集中的に駆動制御するＣＰＵ（Ｃｅｎｔｒａｌ  Ｐｒｏｃｅｓｓｉｎｇ  Ｕｎｉｔ）に、プログラム等の固定的データを予め格納するＲＯＭ（Ｒｅａｄ  Ｏｎｌｙ  Ｍｅｍｏｒｙ）、ローラ巻き取り軸の回転数等、可変的なデータを書き換え自在に格納するＲＡＭ（Ｒａｎｄｏｍ  Ａｃｃｅｓｓ  Ｍｅｍｏｒｙ）を接続した構造をしている。
【００２２】
このような消耗品である感熱紙ロールの無線タグ５０に記憶されている各種の情報は、例えば、サーマルプリンタの用紙保持部にセットされた際に、用紙保持部に設けられている無線タグリーダライタにより読み取られることになる。
【００２３】
なお、本実施の形態においては、スリッター５により所定の幅に切断されて４等分された各感熱紙１を小巻コア１１に糊等で固定する際に、感熱紙１に対して無線タグ取り付け手段１０により無線タグ５０を取り付けるようにしたが、これに限るものではない。例えば、ロール紙巻き取り軸８によりロール状に巻き上げられた感熱紙１が所定の径になったところ（所定時間が経過した時点）で、カッタ機構６の可動刃６ｂを下方へ移動させる直前に、図６に示すように、感熱紙１に対して無線タグ取り付け手段１０により無線タグ５０が実装された台紙５１を取り付けるようにしても良い。これにより、消耗品である感熱紙ロールが完成する。したがって、ここで完成した消耗品である感熱紙ロールは、ウエブ状の媒体である感熱紙１に関する情報を記憶しているデータ読み書き可能な無線タグ５０を、感熱紙１の巻き終わり部分に備えていることになる。
【００２４】
また、本実施の形態においては、小巻コア１１を用いるようにしたが、これに限るものではない。本実施の形態においては、無線タグ５０を感熱紙１の端部（巻き始め部分または巻き終わり部分）に備えるようにしたことから、コアレスとしても良い。
【００２５】
ここに、無線タグ５０には多くの情報を記憶させることが可能であることから、銘板や捺印によって媒体に関する情報を表示する場合に比べ、ウエブ状の媒体である感熱紙１に係る多くの情報を消耗品である感熱紙ロールに保持させることが可能になる。また、コアレスの消耗品である感熱紙ロールであっても、ウエブ状の媒体である感熱紙１に係る多くの情報を消耗品である感熱紙ロールに保持させることが可能になる。これにより、ウエブ状の媒体である感熱紙１に係る多くの情報を搭載した消耗品である感熱紙ロールが提供可能になるので、当該消耗品である感熱紙ロールを使用する電子機器であるサーマルプリンタにおいては、消耗品である感熱紙ロールの無線タグ５０に記憶されている各種の情報を無線タグリーダライタにより読み取ることで、電子機器であるサーマルプリンタにおける消耗品に対する各種の処理条件の調整を容易に行うことが可能になる。
【００２６】
なお、本実施の形態においては、無線タグ５０が取り付けられたサーマルプリンタに用いられる感熱紙ロールを製造するロール紙製造装置１００について説明したが、このロール紙製造装置１００による製造手法は、ウエブ状の媒体をロール状に巻回して構成され、電子機器における処理制御に伴って使用される各種の消耗品に適用することができる。例えば、ラベルプリンタにおける処理制御に伴って使用され、ウエブ状の媒体である転写リボンをロール状に巻回して構成される消耗品である転写リボンロールに対して無線タグ５０を取り付けるような場合にも、適用することができる。また、図７に示すように、転写リボンロールにおいては、ウエブ状の媒体である転写リボン６０に付随して、転写リボン６０の巻き始め部分または転写リボン６０の巻き終わり部分に、補助フィルム６１やリーダテープ６２が設けられるが、この補助フィルム６１やリーダテープ６２に無線タグ６３を実装するようにしても良い。
【００２７】
【発明の効果】
本発明によれば、ウエブ状の媒体に係る多くの情報を搭載した消耗品を提供することができるので、当該消耗品を使用する電子機器においては、消耗品の無線タグに記憶されている各種の情報を読み取ることで、電子機器であるにおける消耗品に対する各種の処理条件の調整を容易に行うことができるようになる。
【図面の簡単な説明】
【図１】本発明の実施の一形態のロール紙製造装置のロール紙巻き取り機構を概略的に示す側面図である。
【図２】その斜視図である。
【図３】無線タグが取り付けられた状態の感熱紙を示す平面図である。
【図４】無線タグに記憶される情報を例示的に示す説明図である。
【図５】ロール紙巻き取り軸によりロール状に巻き上げられた状態の感熱紙を示す斜視図である。
【図６】本実施の形態の変形例を示す斜視図である。
【図７】無線タグが取り付けられた状態の転写リボンを示す平面図である。
【符号の説明】
１，６０…ウエブ状の媒体、２…原反保持部、３…巻き取り部、４…媒体案内経路、６…切断手段、１０…無線タグ取り付け手段、５０，６３…無線タグ、１００…消耗品の製造装置
【図１】
2004309860.tif 000003
【図２】
2004309860.tif 000004
【図３】
2004309860.tif 000005
【図４】
2004309860.tif 000006
【図５】
2004309860.tif 000007
【図６】
2004309860.tif 000008
【図７】
2004309860.tif 000009